(57)【要約】【課題】使用者が体感する操作荷重を軽くすることができ、引き出しの開閉が軽く感じられるスライド式自動閉鎖装置を提供する。【解決手段】スライド体５２が閉じ方向に移動したときに、チャージトリガ４０がチャージストライク１２に係合して移動するとともに、チャージトリガ４０の移動に連動してクローザトリガ３０が付勢手段３９の付勢力に抗して移動して所定のロック位置にてロックされ、更にスライド体５２が閉じ方向に移動したときに、クローザトリガ３０がクローザストライク１１に係合することでロックが外れ、付勢手段３９に蓄積された付勢力によってクローザトリガ３０が移動することで、スライド体５２が閉じ方向に移動するようにした。【選択図】図３
2018013011.tif 000002
【特許請求の範囲】
【請求項１】
本体とスライド体とからなるスライド式の開閉部を自動的に閉鎖するためのスライド式自動閉鎖装置であって、
前記本体に取り付けられるクローザストライク及びチャージストライクと、
前記スライド体に取り付けられるダンパー部材と、
を備え、
前記ダンパー部材は、前記スライド体に固定されるベース体と、前記ベース体に対して移動可能に取り付けられたクローザトリガと、前記ベース体と前記クローザトリガとの間に付勢力を発生させる付勢手段と、前記ベース体に対して移動可能に取り付けられたチャージトリガと、を備え、
前記スライド体が閉じ方向に移動したときに、前記チャージトリガが前記チャージストライクに係合して移動するとともに、前記チャージトリガの移動に連動して前記クローザトリガが前記付勢手段の付勢力に抗して移動して所定のロック位置にてロックされ、
更に前記スライド体が閉じ方向に移動したときに、前記クローザトリガが前記クローザストライクに係合することで前記ロックが外れ、前記付勢手段に蓄積された付勢力によって前記クローザトリガが移動することで、前記スライド体が閉じ方向に移動することを特徴とする、スライド式自動閉鎖装置。
【請求項２】
前記チャージトリガと前記クローザトリガとの間にロータリーダンパーを設け、
前記ロータリーダンパーを介して前記チャージトリガと前記クローザトリガとが連動するようにしたことを特徴とする、請求項１記載のスライド式自動閉鎖装置。
【発明の詳細な説明】
【技術分野】
【０００１】
この発明は、引き出しや引戸などのスライド式の開閉部に取り付けられるスライド式自動閉鎖装置に関する。
【背景技術】
【０００２】
従来、キャビネットの引き出しなどに自動閉鎖型のダンパーを設けたものが知られている。こうした自動閉鎖型のダンパーを使用すると、引き出しを勢いよく閉めた場合でも、閉まる直前にダンパーが働いて静かに引き出しが閉められる。また、ダンパーが働いた後は自動的に引き出しが閉まるので、確実に開閉部を閉じることができる。
【０００３】
こうした自動閉鎖型のダンパーは、例えば特許文献１に示すように、引き出しを開くときにバネを引っ張ったりして付勢力を蓄積し、引き出しを閉じるときにその付勢力を開放することで自動的に引き出しを閉めるようにしていた。
【先行技術文献】
【特許文献】
【０００４】
【特許文献１】特表２００６−５２５０４１号公報
【発明の概要】
【発明が解決しようとする課題】
【０００５】
しかし、上記したような従来の構成では、引き出しを開くときにバネを引っ張るので、引き出しが重く感じられるという問題があった。
【０００６】
そこで、本発明は、使用者が体感する操作荷重を軽くすることができ、引き出しの開閉が軽く感じられるスライド式自動閉鎖装置を提供することを課題とする。
【課題を解決するための手段】
【０００７】
本発明は、上記した課題を解決するためになされたものであり、以下を特徴とする。
【０００８】
請求項１記載の発明は、本体とスライド体とからなるスライド式の開閉部を自動的に閉鎖するためのスライド式自動閉鎖装置であって、前記本体に取り付けられるクローザストライク及びチャージストライクと、前記スライド体に取り付けられるダンパー部材と、を備え、前記ダンパー部材は、前記スライド体に固定されるベース体と、前記ベース体に対して移動可能に取り付けられたクローザトリガと、前記ベース体と前記クローザトリガとの間に付勢力を発生させる付勢手段と、前記ベース体に対して移動可能に取り付けられたチャージトリガと、を備え、前記スライド体が閉じ方向に移動したときに、前記チャージトリガが前記チャージストライクに係合して移動するとともに、前記チャージトリガの移動に連動して前記クローザトリガが前記付勢手段の付勢力に抗して移動して所定のロック位置にてロックされ、更に前記スライド体が閉じ方向に移動したときに、前記クローザトリガが前記クローザストライクに係合することで前記ロックが外れ、前記付勢手段に蓄積された付勢力によって前記クローザトリガが移動することで、前記スライド体が閉じ方向に移動することを特徴とする。
【０００９】
請求項２に記載の発明は、上記した請求項１に記載の発明の特徴点に加え、前記チャージトリガと前記クローザトリガとの間にロータリーダンパーを設け、前記ロータリーダンパーを介して前記チャージトリガと前記クローザトリガとが連動するようにしたことを特徴とする。
【発明の効果】
【００１０】
請求項１に記載の発明は上記の通りであり、スライド体が閉じ方向に移動したときに、チャージトリガがチャージストライクに係合して移動するとともに、チャージトリガの移動に連動してクローザトリガが付勢手段の付勢力に抗して移動して所定のロック位置にてロックされる。すなわち、閉じ動作の途中で、オートクローザを作動させるための力が蓄積される。そして、更にスライド体が閉じ方向に移動したときに、クローザトリガがクローザストライクに係合することでロックが外れ、付勢手段に蓄積された付勢力によってクローザトリガが移動することで、スライド体が閉じ方向に移動する。すなわち、蓄積された力によってスライド体が自動的に閉じ方向に移動する。このような構成によれば、従来のように開くときに付勢力をチャージするのではなく、閉じるときに付勢力をチャージすることができる。引き出し等のスライド体を閉めるときには勢いがついているため、使用者はチャージ動作によって操作荷重が増えたことをほとんど意識することがない。よって、使用者が体感する操作荷重を軽くすることができ、引き出しの開閉が軽く感じられるスライド式自動閉鎖装置を提供することができる。
【００１１】
また、請求項２に記載の発明は上記の通りであり、ロータリーダンパーを介してチャージトリガとクローザトリガとが連動するようにしたので、チャージトリガとクローザトリガとを連動させる作用と、引き出し等のスライド体を勢いよく閉めた場合でもスライド体が静かに閉められるダンパーとしての作用とを、同じ部品によって達成することができる。よって、部品点数を減らして、製造コストを抑制することができる。
【図面の簡単な説明】
【００１２】
【図１】スライド式自動閉鎖装置の取り付け状態を示す外観図である。
【図２】スライド式自動閉鎖装置の取り付け状態を示す一部拡大断面図である。
【図３】スライド式自動閉鎖装置の内部構造を示す（ａ）側面図、（ｂ）斜視図である。
【図４】クローザトリガの（ａ）正面図、（ｂ）平面図、（ｃ）斜視図である。
【図５】チャージトリガの（ａ）正面図、（ｂ）平面図、（ｃ）斜視図である。
【図６】スライド体が閉じた状態におけるスライド式自動閉鎖装置の（ａ）平面図、（ｂ）側面図、（ｃ）底面図である。
【図７】スライド体が開く途中におけるスライド式自動閉鎖装置の（ａ）平面図、（ｂ）側面図、（ｃ）底面図である。
【図８】スライド体が開いた状態におけるスライド式自動閉鎖装置の（ａ）平面図、（ｂ）側面図、（ｃ）底面図である。
【図９】スライド体が閉じる途中でチャージストライクに係合した状態におけるスライド式自動閉鎖装置の（ａ）平面図、（ｂ）側面図、（ｃ）底面図である。
【図１０】スライド体が閉じる途中でチャージが完了した状態におけるスライド式自動閉鎖装置の（ａ）平面図、（ｂ）側面図、（ｃ）底面図である。
【図１１】スライド体が閉じる途中でクローザストライクに係合した状態におけるスライド式自動閉鎖装置の（ａ）平面図、（ｂ）側面図、（ｃ）底面図である。
【発明を実施するための形態】
【００１３】
本発明の実施形態について、図を参照しながら説明する。なお、以下の説明において前後方向を説明するときには、「前」とはスライド体５２を開くときの進行方向に見た前方向（引き出しであれば手前側）を意味し、「後」とはスライド体５２を開くときの進行方向に見た後方向（引き出しであれば奥側）を意味するものとする。
【００１４】
本実施形態に係るスライド式自動閉鎖装置１０は、本体５１とスライド体５２とからなるスライド式の開閉部５０を自動的に閉鎖するためのものである。本実施形態においては、開閉部５０として、図１に示すようなキャビネット等の引き出し部を例に挙げて説明する。この実施形態においては、キャビネットのボデー部が本体５１となり、ボデー部に対して摺動可能に取り付けられた引き出しがスライド体５２となる。
【００１５】
このスライド式自動閉鎖装置１０は、図１に示すように、本体５１に取り付けられるクローザストライク１１及びチャージストライク１２と、スライド体５２に取り付けられるダンパー部材２０と、を備える。ダンパー部材２０は、図２に示すように、クローザストライク１１及びチャージストライク１２と対向するように配置される。
【００１６】
クローザストライク１１は、スライド体５２に臨むように本体５１に取り付けられる部材であり、図３（ａ）に示すように、本体５１に固定される取付部１１ａと、取付部１１ａから突出形成された突出部１１ｂと、を備える。取付部１１ａは、ビスや接着剤等の固定手段によって本体５１に固定される。突出部１１ｂは、図２に示すように、後述するクローザトリガ３０に対して係合可能となっている。
【００１７】
チャージストライク１２は、スライド体５２に臨むように本体５１（クローザストライク１１の取り付け面と同じ面）に取り付けられる部材であり、図３（ａ）に示すように、本体５１に固定される支持部１２ａと、支持部１２ａに対して揺動可能に設けられた揺動部１２ｂと、揺動部１２ｂを支持部１２ａに対して所定の方向へ付勢するトーションバネ１２ｃと、を備える。支持部１２ａは、ビスや接着剤等の固定手段によって本体５１に固定される。揺動部１２ｂは、図２に示すように、トーションバネ１２ｃによって付勢されることで、自然状態において後述するチャージトリガ４０に対して係合可能な状態となっている。揺動部１２ｂは、図３（ａ）の矢印で示すように、トーションバネ１２ｃの付勢力に抗して一方向へのみ揺動可能となっている。
【００１８】
ダンパー部材２０は、図３に示すように、ベース体２１と、クローザトリガ３０と、クローザラック３８と、付勢手段３９と、チャージトリガ４０と、チャージラック４８と、ロータリーダンパー４９と、を備える。
【００１９】
ベース体２１は、図３に示すように、機構を収容するケースであり、ビスや接着剤等の固定手段によってスライド体５２に固定される。このベース体２１は、図２に示すように、クローザストライク１１やチャージストライク１２の取り付け面に対向する面に取り付けられる。
【００２０】
このベース体２１は、後述するクローザトリガ３０の移動をガイドするためのクローザガイド部２２と、後述するチャージトリガ４０の移動をガイドするためのチャージガイド部２３と、を備える。
【００２１】
クローザガイド部２２は、図６（ａ）等に示すような溝形状であり、スライド体５２の摺動方向と平行に設けられたクローザ摺動部２２ａと、クローザ摺動部２２ａの後端部から斜め後方に設けられたクローザロック部２２ｂと、クローザ摺動部２２ａから分岐して設けられた逃げ部２２ｃと、を備える。
【００２２】
チャージガイド部２３は、図６（ｃ）等に示すような溝形状であり、スライド体５２の摺動方向と平行に設けられたチャージ摺動部２３ａと、チャージ摺動部２３ａの前端部から斜め前方に設けられたチャージロック部２３ｂと、を備える。
【００２３】
クローザトリガ３０は、ベース体２１に対して移動可能に取り付けられる部材であり、上述したクローザガイド部２２に沿って、スライド体５２の摺動方向と平行に摺動可能、かつ、クローザ係合部３３（後述）がベース体２１に対して出没する方向に揺動可能となっている。このクローザトリガ３０は、図４に示すように、クローザラック連結部３１と、クローザガイド突起３２と、クローザ係合部３３と、ロック解除部３５と、を備える。
【００２４】
クローザラック連結部３１は、後述するクローザラック３８を連結するための部位である。本実施形態に係るクローザラック連結部３１には、円形の穴が穿設されており、この穴を貫通する軸部材（ピン等）を介してクローザラック３８と連結される。クローザトリガ３０は、このクローザラック連結部３１を貫通する軸部材を中心に揺動可能となっている。
【００２５】
クローザガイド突起３２は、クローザガイド部２２に係合する突起である。このクローザガイド突起３２がクローザガイド部２２の溝に嵌り込むことで、クローザトリガ３０がクローザガイド部２２に沿って移動可能となっている。
【００２６】
クローザ係合部３３は、図３（ｂ）に示すように、ベース体２１から突出可能となっており、ベース体２１から突出した先端部がクローザストライク１１の突出部１１ｂに係合可能となっている。なお、このクローザ係合部３３は、薄肉で形成されることで撓み可能に形成されている。
【００２７】
ロック解除部３５は、図３（ｂ）に示すように、ベース体２１から突出可能となっており、ベース体２１から突出した先端部がクローザストライク１１の突出部１１ｂに係合可能となっている。ロック解除部３５は、上述したクローザ係合部３３に対向するように配置されており、図１１に示すように、ロック解除部３５とクローザ係合部３３との間にクローザストライク１１の突出部１１ｂが入り込んで係合するようになっている。
【００２８】
クローザラック３８は、クローザトリガ３０に接続されて、スライド体５２の摺動方向と平行に摺動可能に配置された部材である。このクローザラック３８は、平板状の棒に歯切りをしたものであり、側面にラック歯３８ａを備えている。このラック歯３８ａは、後述するギア４９ａに噛合している。
【００２９】
付勢手段３９は、付勢力を蓄積してスライド体５２の自動閉鎖を実現するためのものであり、ベース体２１とクローザトリガ３０との間に設けられ、ベース体２１とクローザトリガ３０との間に付勢力を発生可能となっている。本実施形態に係る付勢手段３９は、図３（ａ）に示すような引張バネであり、一端がベース体２１側に固定され、他端がクローザトリガ３０側に固定されている。
【００３０】
チャージトリガ４０は、ベース体２１に対して移動可能に取り付けられる部材であり、上述したチャージガイド部２３に沿って、スライド体５２の摺動方向と平行に摺動可能、かつ、チャージ係合部４３（後述）がベース体２１に対して出没する方向に揺動可能となっている。このチャージトリガ４０は、図５に示すように、チャージラック連結部４１と、チャージガイド突起４２と、チャージ係合部４３と、を備える。
【００３１】
チャージラック連結部４１は、後述するチャージラック４８を連結するための部位である。本実施形態に係るチャージラック連結部４１には、円形の穴が穿設されており、この穴を貫通する軸部材（ピン等）を介してチャージラック４８と連結される。チャージトリガ４０は、このチャージラック連結部４１を貫通する軸部材を中心に揺動可能となっている。
【００３２】
チャージガイド突起４２は、チャージガイド部２３に係合する突起である。このチャージガイド突起４２がチャージガイド部２３の溝に嵌り込むことで、チャージトリガ４０がチャージガイド部２３に沿って移動可能となっている。
【００３３】
チャージ係合部４３は、図３（ｂ）に示すように、ベース体２１から突出可能となっており、ベース体２１から突出した先端部がチャージストライク１２の揺動部１２ｂに係合可能となっている。
【００３４】
チャージラック４８は、チャージトリガ４０に接続されて、スライド体５２の摺動方向と平行に摺動可能に配置された部材である。このチャージラック４８は、平板状の棒に歯切りをしたものであり、側面にラック歯４８ａを備えている。このラック歯４８ａは、後述するギア４９ａに噛合している。なお、このチャージラック４８は、ギア４９ａを挟んで上述したクローザラック３８と相対している。このため、チャージラック４８とクローザラック３８とは、それぞれ逆方向に連動するようになっている。すなわち、チャージラック４８が前方に移動すればクローザラック３８が後方に移動し、チャージラック４８が後方に移動すればクローザラック３８が前方に移動するようになっている。
【００３５】
ロータリーダンパー４９は、内蔵された機構により所定の抵抗を生じさせ、回転を減速させる装置である。このロータリーダンパー４９は、回転軸の同軸上にギア４９ａを備えている。このギア４９ａには、上述したように、クローザラック３８及びチャージラック４８が噛合している。このため、クローザラック３８及びチャージラック４８が摺動したときに、この運動の速度がロータリーダンパー４９によって減速されるようになっている。すなわち、スライド体５２の開閉動作が勢いよく行われたとしても、ロータリーダンパー４９の作用によってスライド体５２が静かにゆっくりと移動するようになっている。
次に、上記したスライド式自動閉鎖装置１０の動作について説明する。
【００３６】
まず、スライド体５２が閉じた状態では、図６に示すように、クローザストライク１１の突出部１１ｂが、クローザトリガ３０のクローザ係合部３３とロック解除部３５との間に係合している。
【００３７】
この状態でスライド体５２を開こうとすると、クローザストライク１１の突出部１１ｂが、クローザ係合部３３に突き当たる。クローザ係合部３３が突出部１１ｂによって押されると、クローザガイド突起３２が逃げ部２２ｃへと入り込むことで、クローザ係合部３３がベース体２１の内側方向へと揺動する。これにより、クローザ係合部３３が退避位置へと移動するので、クローザストライク１１の突出部１１ｂとクローザ係合部３３との係合が解除され、クローザストライク１１がクローザトリガ３０を摺動させることなく通過する。このとき、クローザ係合部３３はベース体２１からやや突出していてもよい。クローザ係合部３３は弾性変形可能であるため、撓むことでチャージストライク１２の支持部１２ａを通過させることができる。このように、スライド体５２を開くときには、クローザストライク１１がクローザトリガ３０を摺動させずに通過する。
【００３８】
さらにスライド体５２を開いていくと、図７に示すように、チャージストライク１２の揺動部１２ｂが、チャージ係合部４３に突き当たる。揺動部１２ｂがチャージ係合部４３によって押されると、揺動部１２ｂがトーションバネ１２ｃの付勢力に抗して揺動する。これにより、チャージストライク１２がチャージトリガ４０を摺動させることなく通過する。このように、スライド体５２を開くときには、チャージストライク１２がチャージトリガ４０を摺動させずに通過する。なお、揺動した揺動部１２ｂは、チャージストライク１２がチャージトリガ４０を通過した後に、トーションバネ１２ｃの付勢力によって初期状態（図６に示すようにチャージトリガ４０の方向へ突出した状態）へと復帰する。
【００３９】
このようにダンパー部材２０がクローザストライク１１とチャージストライク１２とを通過すると、図８に示すように、スライド体５２を完全に開いた状態とすることができる。
【００４０】
この状態からスライド体５２を閉じた場合、まず図９に示すように、チャージストライク１２がチャージトリガ４０に係合する。チャージストライク１２がチャージトリガ４０に係合した状態でスライド体５２を閉じ方向に移動させると、チャージトリガ４０はスライド体５２に固定されたベース体２１と一緒に移動することができないため、チャージトリガ４０がベース体２１に対して相対的に移動することとなる。
【００４１】
チャージトリガ４０は、チャージ摺動部２３ａに沿ってベース体２１の前方へと移動し、最終的には、図１０（ｃ）に示すように、チャージガイド突起４２がチャージロック部２３ｂに係合する位置まで摺動する。チャージガイド突起４２がチャージロック部２３ｂに係合すると、チャージトリガ４０がベース体２１の内側へと揺動し、チャージストライク１２とチャージトリガ４０との係合が解除される。チャージストライク１２との係合が解除されることで、チャージトリガ４０はベース体２１と一緒に移動できるようになる。
【００４２】
このようにチャージトリガ４０が摺動すると、ギア４９ａを介してクローザトリガ３０が連動するので、クローザトリガ３０が後方へと移動する。そして、チャージガイド突起４２がチャージロック部２３ｂに係合するタイミングで、図１０（ａ）に示すように、クローザガイド突起３２がクローザロック部２２ｂに係合する。このとき、クローザトリガ３０は、付勢手段３９の付勢力に抗して移動して所定のロック位置にてロックされた状態であるので、付勢手段３９に付勢力が蓄積された状態となっている。
【００４３】
そして更にスライド体５２が閉じ方向に移動し、スライド体５２が閉じられる直前になると、クローザトリガ３０のロック解除部３５がクローザストライク１１に係合する。ロック解除部３５がクローザストライク１１に係合した状態でスライド体５２が閉じ方向に移動すると、ロック解除部３５が押圧されることでクローザガイド突起３２がクローザロック部２２ｂから抜け出してクローザ摺動部２２ａへと移動する。これにより、クローザトリガ３０のロックが解除され、付勢手段３９の付勢力がクローザトリガ３０に作用する状態となる。また、クローザガイド突起３２がクローザロック部２２ｂから抜け出すことでクローザトリガ３０がベース体２１から突出する方向に揺動するため、クローザ係合部３３がクローザストライク１１に係合する。
【００４４】
このように、クローザ係合部３３がクローザストライク１１に係合すると、図１１に示すような状態となる。この状態では、勢いよくスライド体５２を閉めようとしても、ロック解除部３５がクローザストライク１１に係合しているため、ロータリーダンパー４９が作用して勢いが減殺される。逆に、スライド体５２を閉める力が弱く、完全にスライド体５２が閉まっていなくても、付勢手段３９に蓄積された付勢力によってクローザトリガ３０が移動することで、スライド体５２が閉じ方向に移動する。すなわち、付勢手段３９に蓄積された付勢力によってクローザトリガ３０はベース体２１に対して相対的に移動するが、クローザトリガ３０のクローザ係合部３３がクローザストライク１１に係合しているため、クローザトリガ３０は移動できない。このため、ベース体２１がクローザトリガ３０に対して引きつけられるように移動することとなり、ベース体２１が固定されたスライド体５２もベース体２１と一緒に閉じ方向へ移動することになる。そして、完全にスライド体５２が閉じると、図６に示すような状態となる。
【００４５】
以上説明したように、本実施形態によれば、従来のように開くときに付勢力をチャージするのではなく、閉じるときに付勢力をチャージすることができる。引き出し等のスライド体５２を閉めるときには勢いがついているため、使用者はチャージ動作によって操作荷重が増えたことをほとんど意識することがない。よって、使用者が体感する操作荷重を軽くすることができ、引き出しの開閉が軽く感じられるスライド式自動閉鎖装置１０を提供することができる。
【００４６】
また、ロータリーダンパー４９を介してチャージトリガ４０とクローザトリガ３０とが連動するようにしたので、チャージトリガ４０とクローザトリガ３０とを連動させる作用と、引き出し等のスライド体５２を勢いよく閉めた場合でもスライド体５２が静かに閉められるダンパーとしての作用とを、同じ部品によって達成することができる。よって、部品点数を減らして、製造コストを抑制することができる。
【００４７】
なお、上記した実施形態においては、開閉部５０としてキャビネット等の引き出し部を例に挙げたが、これに限らず、開閉部５０はスライド式であればよい。例えば、引き戸などにスライド式自動閉鎖装置１０を設けてもよい。また、引き出し部にスライド式自動閉鎖装置１０を設ける場合には、引き出し部の側部にスライド式自動閉鎖装置１０を設けてもよいし、引き出し部の底部にスライド式自動閉鎖装置１０を設けてもよい。
【符号の説明】
【００４８】
１０  スライド式自動閉鎖装置
１１  クローザストライク
１１ａ  取付部
１１ｂ  突出部
１２  チャージストライク
１２ａ  支持部
１２ｂ  揺動部
１２ｃ  トーションバネ
２０  ダンパー部材
２１  ベース体
２２  クローザガイド部
２２ａ  クローザ摺動部
２２ｂ  クローザロック部
２２ｃ  逃げ部
２３  チャージガイド部
２３ａ  チャージ摺動部
２３ｂ  チャージロック部
３０  クローザトリガ
３１  クローザラック連結部
３２  クローザガイド突起
３３  クローザ係合部
３５  ロック解除部
３８  クローザラック
３８ａ  ラック歯
３９  付勢手段
４０  チャージトリガ
４１  チャージラック連結部
４２  チャージガイド突起
４３  チャージ係合部
４８  チャージラック
４８ａ  ラック歯
４９  ロータリーダンパー
４９ａ  ギア
５０  開閉部
５１  本体
５２  スライド体
【図１】
2018013011.tif 000003
【図２】
2018013011.tif 000004
【図３】
2018013011.tif 000005
【図４】
2018013011.tif 000006
【図５】
2018013011.tif 000007
【図６】
2018013011.tif 000008
【図７】
2018013011.tif 000009
【図８】
2018013011.tif 000010
【図９】
2018013011.tif 000011
【図１０】
2018013011.tif 000012
【図１１】
2018013011.tif 000013